(57)【要約】【課題】複数の工程によって内視鏡の洗浄を行なう内視鏡洗浄消毒装置において、オペレータが内視鏡洗浄消毒装置から離れた場所にいたとしても、内視鏡洗浄消毒装置が視野に入る範囲内であれば、内視鏡洗浄消毒装置が設置された場所まで移動する必要がなく、洗浄の進捗状況や洗浄終了までの時間を確認することができ、効率の良い洗浄を行なうことができる内視鏡洗浄消毒装置を提供する。【解決手段】複数の工程によって内視鏡の洗浄を行なう内視鏡洗浄消毒装置であって、内視鏡を収容して洗浄を行なう洗浄槽と、洗浄槽の蓋体と、洗浄槽内を照明する照明手段とを有し、かつ、照明手段は、複数の工程の少なくとも１つの工程において、洗浄槽内の照明の状態を他の工程と変えることによって上記課題を解決する。【選択図】図１
2009077936.tif 000002
【特許請求の範囲】
【請求項１】
複数の工程によって内視鏡の洗浄を行なう内視鏡洗浄消毒装置であって、
内視鏡を収容して洗浄を行なう洗浄槽と、前記洗浄槽の蓋体と、前記洗浄槽内を照明する照明手段とを有し、
かつ、前記照明手段は、前記複数の工程の少なくとも１つの工程において、前記洗浄槽内の照明の状態を他の工程と変えることを特徴とする内視鏡洗浄消毒装置。
【請求項２】
前記照明手段は、照明の色の変化、照明の光量の変化、および、照明の点灯状態の変化の少なくとも１つによって、前記照明の状態を変える請求項１に記載の内視鏡洗浄消毒装置。
【請求項３】
さらに、前記内視鏡の洗浄が終了したら、前記照明手段は、洗浄終了の前の工程とは異なる照明の状態で前記洗浄槽内を照明する請求項１または２に記載の内視鏡洗浄消毒装置。
【請求項４】
前記洗浄槽に収容して処理液に浸漬した状態で前記内視鏡内を加圧する、漏水検知を行なう機能を有し、
前記照明手段は、この漏水検知を行なっている際にも、前記洗浄槽内を照明する請求項１〜３のいずれかに記載の内視鏡洗浄消毒装置。
【請求項５】
独立かつ非同期で内視鏡を洗浄できる複数の洗浄槽を有し、
前記照明手段は、各洗浄槽毎に独立して点灯を制御される請求項１〜４のいずれかに記載の内視鏡洗浄消毒装置。
【請求項６】
前記蓋体が透明である請求項１〜５のいずれかに記載の内視鏡洗浄消毒装置。
【発明の詳細な説明】
【技術分野】
【０００１】
本発明は、内視鏡の洗浄消毒を行なう内視鏡洗浄消毒装置に関し、詳しくは、内視鏡の洗浄消毒における各工程の表示機能を持つ内視鏡洗浄消毒装置に関するものである。
【背景技術】
【０００２】
一般に、内視鏡は再使用する医療機器であるため、感染等を防止するために使用後の洗浄が必須である。そのため、使用した内視鏡の洗浄を行なう内視鏡洗浄消毒装置が各種、実用化されている。
【０００３】
内視鏡洗浄消毒装置は、通常、洗浄、消毒およびすすぎ等の複数の工程を行なって内視鏡の洗浄を行なう。従来の内視鏡洗浄消毒装置では、内視鏡の洗浄時間を設定し、洗浄が一端開始されると、内視鏡の洗浄が前述の複数の工程のうち、どの工程が行なわれているのか、また、洗浄終了までに残りどのくらいの時間が必要なのかということを内視鏡洗浄消毒装置のオペレータが確認することができず、使い難い。そのため、フロントパネルなどに洗浄工程の進捗状況（どの工程が行なわれているか）や、洗浄の終了予定時間等を表示することが各種提案されている（特許文献１〜３参照）。
【０００４】
例えば、特許文献１には、洗い、すすぎ、脱水などの各工程に対応するように、複数個のランプ（発光源）を設け、その各工程の進行につれて、順次、ランプを消去点灯させることにより、洗い、すすぎ、脱水のそれぞれの残り時間および洗い、すすぎ、脱水のどの工程にあるかを表示することにより、残り時間および現在の洗浄工程を知ることができる進行表示点灯方法が開示されている。
【０００５】
また、特許文献２には、内視鏡を収容して洗浄する内視鏡洗浄装置において、装置本体上面に設けられた表示パネルに、洗浄工程の経過時間が表示されるメインＬＣＤパネルと、また、洗浄工程の残り時間が表示されるサブＬＣＤパネルとを有する内視鏡洗浄消毒装置が開示されている。
【０００６】
また、特許文献３には、洗浄工程表示パネルにおいて、複数の各工程を表示する表示部を有した第１の工程表示群と、複数の各工程を表示する表示部を有した第２の工程表示群とを設け、さらにその第１、第２の工程表示群間には、第１の工程表示群の示す工程に加えて、第２の工程表示群の示す工程への進行を選択するためのスイッチ部を配設した工程表示パネルが開示されている。
【０００７】
【特許文献１】特公昭６３−０６５９５５号公報
【特許文献２】特許第３８６４３２４号公報
【特許文献３】特開昭５９−１４２６９７号公報
【発明の開示】
【発明が解決しようとする課題】
【０００８】
通常、内視鏡洗浄消毒装置は、洗浄が開始された後は、洗浄、消毒、すすぎ等の複数の工程を自動的に行なう。そのため、操作者は内視鏡洗浄消毒装置に内視鏡を収容して、洗浄開始のスイッチを入力した後、内視鏡洗浄消毒装置から離れた他の場所で別の仕事をしていることが多い。
【０００９】
しかしながら、仕事を円滑に行なうためには、装置が今、どの工程にあるかを適正に把握できるのが好ましい。例えば、内視鏡洗浄消毒装置で内視鏡の洗浄を行なった後に、すぐに他の内視鏡の洗浄を行いたい場合には、現在行なわれている内視鏡の洗浄が、どの工程にあり、また洗浄終了までの残り時間はどれくらいなのかということを適宜確認する必要がある。
ここで、従来の内視鏡洗浄消毒装置においては、フロントパネルに洗浄の各工程の進捗状況や、洗浄の終了予定時間等を表示しているため、オペレータが内視鏡洗浄消毒装置から離れた場所で他の作業をしている場合には、内視鏡洗浄消毒装置の場所まで移動し、フロントパネルの表示を読んで確認する必要があり、手間がかかる。また、設定した洗浄時間から、洗浄の終了時間を予測できる場合であっても、常に時間を気にしなければならず、使い勝手が良くない。
【００１０】
本発明の目的は、上記従来技術の問題点を解消し、オペレータが内視鏡洗浄消毒装置から離れた場所にいたとしても、内視鏡洗浄消毒装置が視野に入る範囲内であれば、内視鏡洗浄消毒装置が設置された場所まで移動することなく、洗浄の各工程の進捗状況を確認することができ、効率の良い洗浄を行なうことができる内視鏡洗浄消毒装置を提供することにある。
【課題を解決するための手段】
【００１１】
上記課題を解決するために、本発明は、複数の工程によって内視鏡の洗浄を行なう内視鏡洗浄消毒装置であって、内視鏡を収容して洗浄を行なう洗浄槽と、前記洗浄槽の蓋体と、前記洗浄槽内を照明する照明手段とを有し、かつ、前記照明手段は、前記複数の工程の少なくとも１つの工程において、前記洗浄槽内の照明の状態を他の工程と変えることを特徴とする内視鏡洗浄消毒装置を提供する。
【００１２】
ここで、前記照明手段は、照明の色の変化、照明の光量の変化、および、照明の点灯状態の変化の少なくとも１つによって、前記照明の状態を変えることが好ましい。
さらに、前記内視鏡の洗浄が終了したら、前記照明手段は、洗浄終了の前の工程とは異なる照明の状態で前記洗浄槽内を照明することが好ましい。
【００１３】
前記洗浄槽に収容して処理液に浸漬した状態で前記内視鏡内を加圧する、漏水検知を行なう機能を有し、前記照明手段は、この漏水検知を行なっている際にも、前記洗浄槽内を照明することが好ましい。
【００１４】
独立かつ非同期で内視鏡を洗浄できる複数の洗浄槽を有し、前記照明手段は、各洗浄槽毎に独立して点灯を制御されることが好ましい。
さらに、前記蓋体が透明であることが好ましい。
【発明の効果】
【００１５】
複数の工程によって内視鏡の洗浄を行なう内視鏡洗浄消毒装置において、内視鏡洗浄消毒装置の洗浄槽内を照明する照明手段を有し、この照明手段は、内視鏡の洗浄の各工程に応じて照明の状態が変化する。一般的に、内視鏡洗浄消毒装置において、洗浄槽内を確認できるように洗浄槽の蓋は透明な材料で構成される。従って、照明手段による照明光は内視鏡洗浄消毒装置の外部から視認することができ、内視鏡洗浄消毒装置において、複数の洗浄工程のうち、どの工程が行なわれているのかを、内視鏡洗浄消毒装置が視野に入る範囲内であれば、内視鏡洗浄消毒装置が設置されている場所まで移動する必要がなく、確認することができる。従って、例えば、洗浄消毒装置の洗浄の状況を的確に把握することで、洗浄消毒終了後、直ちに洗浄が終了した内視鏡を取り出し、他の洗浄が必要な内視鏡を投入することができるので、効率の良い、内視鏡の洗浄を行なうことができる。
【発明を実施するための最良の形態】
【００１６】
以下、本発明の内視鏡洗浄消毒装置について、添付の図面に示される好適実施例を基に詳細に説明する。
図１に、本発明の内視鏡洗浄消毒装置の一例の概略図を示す。なお、図１において、（Ａ）は斜視図、（Ｂ）は側面図である。また、図２に、この内視鏡洗浄消毒装置の概略上面図（後述する蓋体２０は省略）を示す。
図１に示す内視鏡洗浄消毒装置１０（以下、洗浄消毒装置１０とする）は、内視鏡５０の自動洗浄を行なう装置である。この洗浄消毒装置１０は、内視鏡５０を収容して洗浄を行なう洗浄槽として、第１洗浄槽１４ａおよび第２洗浄槽１４ｂの、２つの洗浄槽（以下、両者をまとめて洗浄槽１４とも言う）を有し、２台の内視鏡５０を、同時に、かつ非同期（独立して）で洗浄することが可能な装置である。
【００１７】
洗浄消毒装置１０において、第１洗浄槽１４ａおよび第２洗浄槽１４ｂは、内視鏡５０を収容して、前記洗浄液による洗浄および洗浄後の水道水によるすすぎ（洗浄工程）、消毒液による消毒（消毒工程）、および、水道水によるすすぎ（すすぎ工程）の３つの工程を行なって、内視鏡５０の洗浄を行なうものである。
なお、これら洗浄消毒装置１０による内視鏡５０の洗浄は、後述する制御部６０によって制御される。
【００１８】
なお、図示例の洗浄消毒装置１０は、２つの洗浄槽１４を有するが、本発明は、これに限定はされず、洗浄槽を１つのみ有するものであってもよく、あるいは、３以上の洗浄槽１４を有するものであってもよい。しかしながら、本発明の効果がより好適に発現できる等の点で、洗浄消毒装置１０は、複数の洗浄槽を有し、それぞれの洗浄槽における洗浄を独立で、かつ、非同期で行なうことができるのが好ましい。さらに、本発明の洗浄消毒装置１０において、洗浄槽１４の配列方向は、図示例の短手方向に限定はされず、長手方向に複数の洗浄槽を配列してもよい。
【００１９】
図示例の洗浄消毒装置１０においては、第１洗浄槽１４ａおよび第２洗浄槽１４ｂは、全く同じ構成を有するので、同じ部材には同じ符号を付し、以下の説明は、洗浄槽１４として行なう。
【００２０】
前述のように洗浄槽１４（第１洗浄槽１４ａおよび第２洗浄槽１４ｂ）は、内視鏡５０を収容して洗浄するもので、透明な蓋体２０によって、上面を開閉される。また、洗浄槽１４の下部には、照明手段２００（第１洗浄槽１４ａの下部に設けられる照明手段２００ａおよび第２洗浄槽１４ｂの下部に設けられる照明手段２００ｂ）が設けられる。
【００２１】
照明手段２００は、洗浄槽１４内を照らすための照明であり、一例として、照明手段２００は、洗浄槽１４の底面２２を光らせることにより、洗浄槽１４の底面２２から洗浄槽１４内を照らす。
内視鏡５０の洗浄は、前述のように、洗浄工程、消毒工程、すすぎ工程という複数の工程を経て行なわれる。ここで、照明手段２００は、内視鏡５０の洗浄の各工程に応じて照明光の色が変化する。例えば、照明手段２００は、洗浄工程においては赤色の照明、消毒工程においては緑色の照明、すすぎ工程においては青色の照明で洗浄槽１４内を照らす。
前述のように、第１洗浄槽１４ａおよび第２洗浄槽１４ｂは、独立、かつ、非同期で内視鏡５０の洗浄を行なうことができる。それに対応して、第１洗浄槽１４ａ、第２洗浄槽１４ｂにそれぞれ設けられた照明手段２００ａ、照明手段２００ｂは、後述する制御部６０によって、独立で、かつ、非同期に制御され、それぞれの洗浄槽における洗浄の各工程に応じて第１洗浄槽１４ａ、第２洗浄槽１４ｂを照らす。
【００２２】
従来の内視鏡洗浄消毒装置では、洗浄の各工程の進捗状況や、洗浄終了までの時間がフロントパネルに表示されていたのみだったため、洗浄の各工程の進捗状況（現在、どの工程が行なわれているか）や、洗浄終了までの時間を知るためには、洗浄消毒装置１０の場所まで行き、フロントパネルを見て確認する必要があった。
【００２３】
本発明の洗浄消毒装置１０では、洗浄槽１４内を照明する照明手段２００が設けられ、照明手段２００は、洗浄の各工程に応じて照明光の色を変化させる。例えば、洗浄工程においては赤色、消毒工程においては緑色、すすぎ工程においては青色に照明光の色を切り換える。
また、この照明手段２００の照明光は、透明な材料で構成される蓋体２０を透過し、内視鏡洗浄消毒装置１０の外部から視認することができる。このようにすることで、オペレータが内視鏡洗浄消毒装置１０から遠く離れていたとしても、洗浄消毒装置１０が視界に入る範囲内にいれば、前述の洗浄の各工程のうち、どの工程が行なわれているかを、洗浄消毒装置１０が設置されている場所まで来ることなく確認することができる。
さらに、洗浄消毒装置１０は、独立、かつ、非同期で内視鏡５０の洗浄を行なう２つの洗浄槽を有するが、このように洗浄槽内を照明する照明手段２００を各洗浄槽に設け、洗浄の各工程に応じて照明の色を変化させることにより、各洗浄槽毎に現在の洗浄の状況を適正に把握することができる。
【００２４】
ここで、洗浄消毒装置１０による内視鏡５０の洗浄が終了したときには、照明手段２００の照明光の色を洗浄中とは異なる色に切り換えるのが好ましい。後述するが、本実施形態では、洗浄工程においては赤色の照明、消毒工程においては緑色の照明、すすぎ工程においては青色の照明で洗浄槽１４内を照らすこととしているため、洗浄が終了したときには、洗浄中とは異なる色、つまり、赤色、緑色、青色以外の色で洗浄槽１４を照明するのが好ましい。例えば、洗浄が終了したときには、照明手段２００の照明光の色を白色とする。
洗浄消毒装置１０による内視鏡５０の洗浄が終了した後、すぐに他の内視鏡５０の洗浄を行ないたいときには、内視鏡５０の洗浄が終了したかどうかを確認する必要がある。
従来の洗浄消毒装置１０では、洗浄終了までの時間もフロントパネルに表示されているのみなので、洗浄が終了したかどうかを確認するためには、やはり、洗浄消毒装置１０の場所まで行き、フロントパネルを見て確認する必要がある。
ここで、内視鏡５０の洗浄が終了したときに、照明手段２００の照明光の色を洗浄中とは異なる色に切り換えることにより、洗浄が終了したことを洗浄消毒装置１０が設置されている場所まで来ることなしに確認することができる。そのため、内視鏡５０の洗浄が終了した後に、すぐに他の内視鏡５０の洗浄を行なうことができるので、洗浄消毒装置１０において、効率の良い、洗浄を行なうことができる。
【００２５】
なお、内視鏡５０の洗浄終了は、少なくとも、すすぎ工程と洗浄終了とで照明手段２００の照明光の色（状態）が異なれば、洗浄消毒装置１０が視野に入る範囲内にいれば、洗浄消毒装置１０が設置されている場所まで来ることなしに、洗浄が終了したことを確認することができる。
しかしながら、内視鏡５０の洗浄終了を、より確実にオペレータが確認することが可能であるという点では、上述の例のように、洗浄終了時における照明手段２００の照明光の色は、洗浄中の各工程のいずれとも異なる色とするのが好ましい。しかしながら、照明手段２００における光源の色数、コストや制御等の点では、洗浄終了時における照明手段２００の照明光の色と、洗浄工程もしくは消毒工程における照明手段２００の照明光の色とが、同じである方が、有利な場合も有る。
【００２６】
なお、洗浄消毒装置１０は、洗浄槽１４の下部に照明手段２００が設けられるとともに、図１に点線で示すように、洗浄消毒装置１０の前面に照明手段２０１（照明手段２０１ａおよび２０１ｂ）をさらに有してもよい。
ここで、照明手段２０１は、照明手段２００と同様の色となるように照明光の色を変化させる。つまり、前述のように、照明手段２００は照明光の色を、洗浄工程においては赤色、消毒工程においては緑色、すすぎ工程においては青色と切りかえる。あるいは、さらに終了時には照明光の色を白色に切りかえる。この場合、照明手段２０１の照明光の色も同様に、洗浄工程においては赤色、消毒工程においては緑色、すすぎ工程においては青色と切りかえ、あるいはさらに、終了時に白色に切りかえる。
このようにすることで、洗浄消毒装置１０の外部から照明手段の照明光をより容易に視認することができ、洗浄の進捗状況を確認することができる。
なお、照明手段２０１を設ける場合には、一例として、照明手段２０１は、照明手段２００と同様に、後述する制御部６０によって制御されるのが好ましい。
【００２７】
また、後述するが、本発明の洗浄消毒装置１０においては、内視鏡５０の各チャンネルに孔等の損傷が無いことを確認するための漏水検知を行なうことができる。ここで、漏水検知は、内視鏡５０を洗浄槽に収容して処理液に浸漬した状態で内視鏡５０の内部に加圧気体を注入し、内視鏡５０の内部から漏水箇所を通して外部に漏れ出す気泡を目視により発見することで行なう。しかしながら、従来の内視鏡洗浄消毒装置では、内視鏡洗浄消毒装置が暗い場所に設置、あるいは室内照明や太陽光の位置によって操作者の影で洗浄槽が暗くなってしまう位置に設置されると、目視によって内視鏡の挿入部先端から発生する気泡を発見することが難しく、その結果、漏水検知が非常に難しいという問題がある。
【００２８】
このような問題を解決するために、内視鏡洗浄消毒装置の配置を移動して、洗浄槽に光が入りやすいようにすることが考えられるが、配置したい場所には既に他の医療機器が置かれている場合も多く、さらに給水や排水などの配管も必要なことから移動できる場所にも制限があり、現実問題として、一度設置されてしまうと、簡単に移動できないのが実情である。
【００２９】
本発明の洗浄消毒装置１０では、洗浄槽１４の下部に照明手段２００を設け、洗浄槽１４を明るく照らし出す。そのため、内視鏡洗浄消毒装置１０が、洗浄槽１４が暗くなるような場所に設置されたとしても、内視鏡５０の挿入部先端から発生する気泡を目視により容易に発見することができる。つまり、照明手段２００によって洗浄槽１４内が明るく照らされているので、周囲の明るさの状況に左右されることなく、常に一定の水準で気泡の確認を行なうことができ、正確な漏水検知を行なうことができる。
【００３０】
さらに、照明手段２００が、洗浄の各工程の進捗状況を表示するために使用されるとともに、漏水検知の際に洗浄槽１４内を照らすためにも使用されることで、洗浄の各工程の進捗状況を表示するための照明、漏水検知の際に洗浄槽１４内を照らすための照明を別々に設けるよりも、コストを削減することができる。
【００３１】
本発明の洗浄消毒装置１０において、照明手段２００として用いる照明には、特に限定はなく、公知の照明手段が各種利用可能であるが、好ましくは、洗浄槽１４の底面２２を広い範囲で発光させ、視認性を良好にするために、二次元的な発光領域を有する面発光素子が使用される。
このような面発光素子としては、例えば、発光ダイオード（ＬＥＤ）等の点光源を二次元的に配列してなる構成、有機エレクトロルミネッセンス（有機ＥＬ）素子、蛍光灯等の棒状光源を長手方向と直交する方向に配列してなる構成、ハロゲンランプ等の光源を二次元的に配列してなる構成、導光板に側面からＬＥＤや蛍光灯によって光をあてた構成等が例示される。
【００３２】
また、照明する光の色を変化させる方法にも、特に限定は無く、赤色、緑色、および、青色に発光するＬＥＤ等、洗浄槽１４の照明に対応する各色の光を発光する光源を用いる方法、洗浄槽の照明に対応する各色のカラーフィルタを光源に対応して設ける方法等の公知の方法を用いればよい。
例えば、赤色（Ｒ）、緑色（Ｇ）、および、青色（Ｂ）に発光するＬＥＤ（または、白色光源とカラーフィルタ）を用いれば、前述の洗浄工程に対応する赤色、消毒工程に対応する緑色、すすぎ工程に対応する青色、終了時に対応する白色で、洗浄槽１４内を照射することができ、さらに、シアン（Ｃ）、マゼンダ（Ｍ）、イエロー（Ｙ）等の色で洗浄槽１４内を照射することも可能となる。
【００３３】
洗浄槽１４は、内視鏡５０を収納して、洗浄を行なう筐体であり、少なくとも底面２２が透明な材料で構成されている。あるいは、底面２２が照明手段２００の発光面で構成される。
前述のように、洗浄槽１４の下部に設けられた照明手段２００は、洗浄槽１４の下部から洗浄槽１４内を照明する。そのため、洗浄槽１４が透明な材料で構成されていれば、照明手段２００からの照明光によって洗浄槽１４内を照明することができる。
【００３４】
なお、洗浄槽１４を構成する透明な材料としては、塩化ビニル、ポリカーボネイド等、洗浄槽１４として利用できる程度の剛性を有し、また洗浄液や消毒液など、内視鏡５０の洗浄で用いられる各種の処理液に対して耐性を有するものであれば、公知の種々の透明な材料が使用可能である。
【００３５】
本発明の洗浄消毒装置１０においては、図１に示すように、洗浄槽１４は、長尺な形状（平面形状）を有する。
この洗浄消毒装置１０においては、内視鏡５０は、通常、図２に示すように、内視鏡５０の挿入部５２やユニバーサルコード５４を二つ折り（長い内視鏡の場合にはつづら折り）にされて洗浄槽１４に収容され、洗浄槽１４は、底面（床面）２２に載置するようにして、１台の内視鏡５０を収容するが、図１に示すように、洗浄槽１４は、その底面２２が、洗浄槽１４の長手方向に傾斜している。
なお、図１および図２では、本発明の構成を明瞭に示すために省略するが、洗浄槽１４の内部には、鉗子チャンネルや送気／送水チャンネル等の内視鏡５０の各チャンネル（その口金や接続部）を接続するためのポート、および、洗浄液等の処理液を洗浄槽１４内に導入するための導入口等が設けられる。これらに関しては、後に詳述する。
【００３６】
また、洗浄消毒装置１０において、蓋体２０は、図１（Ｂ）に示すように、支点２４を中心に回動することで、洗浄槽１４（その上面）を開閉する。
ここで、図示例の洗浄消毒装置１０は、好ましい構成として、傾斜する底面２２の下部側に、蓋体２０を開閉するための支点（回転軸）２４が設けられている。すなわち、洗浄消毒装置１０において、蓋体２０は、傾斜する底面２２の上部側の端部が上下動するように回動して、洗浄槽１４を開閉する。さらに、洗浄消毒装置１０を操作する操作パネル２６、内視鏡洗浄のスタートボタン２８、蓋体２０を開閉するためのフットペダル３０（第１洗浄槽１４ａ用のペダル３０ａおよび第２洗浄槽１４ｂ用のフットペダル３０ｂ）などの洗浄消毒装置１０において定常的な洗浄で使用する操作手段も、洗浄槽１４の底面２２の上部（上端）側（好ましくは洗浄消毒装置１０の、同上部側の端部近傍、および／または、同上部側の端面）に設けられている。
すなわち、洗浄消毒装置１０は、好ましい態様として、洗浄槽１４の傾斜する底面２２の上部側で、蓋体２０が開閉し、また、内視鏡５０の洗浄の各操作を行なう側（前面）となる。
【００３７】
なお、蓋体２０は、支点を中心として回動して開閉する構成に限定はされず、スライド式の蓋体（シャッタ）であってもよい。
【００３８】
本発明の洗浄消毒装置１０は、洗浄槽１４が、このように長尺で、かつ、底面が長手方向に傾斜する構成を有することにより、洗浄する内視鏡５０の洗浄消毒装置１０へのセット、すなわち、洗浄槽１４の所定位置への内視鏡５０の収容を、簡易かつ迅速に行なうことを可能にしたものである。
また、洗浄槽１４は長尺ではあるが、底面２２が傾斜していることで、水平距離は短くなるので、オペレータが小柄で、手の短い人でも、楽に内視鏡５０をセットできる。
また、長尺な洗浄槽１４を有することにより、長手方向と直交する方向（以下、幅方向とする）に洗浄槽１４を配列すれば、装置が、それほど大型化することもない。
【００３９】
また、洗浄槽１４の底面２２（底面２２が好ましいが、洗浄槽１４の内側面でも可）には、内視鏡５０の操作部５６、コネクタ５８、ユニバーサルコード５４、挿入部５２等の各部を位置決めするための位置決め手段を有する。
図２に示す洗浄槽１４においては、上部側の底面２２に立設するように、内視鏡５０の操作部５６に係合して位置決めする係合部材３４（３４ａおよび３４ｂ）と、同じく、コネクタ５８に係合して位置決めする係合部材３６（３６ａおよび３６ｂ）を有する。従って、内視鏡５０は、係合部材３４によって操作部５６を位置決めされ、係合部材３６によってコネクタ５８を位置決めされて、洗浄消毒装置１０すなわち、洗浄槽１４（底面２２）の所定位置にセットされる。
【００４０】
本発明の洗浄消毒装置１０において、洗浄槽１４の蓋体２０の形状にも、特に限定はなく、洗浄槽１４（槽内）を閉塞、好ましくは略気密（特に好ましくは気密）に閉塞できるものであれば、洗浄槽１４の形状に応じた、各種の構成や形状のものが利用可能である。
なお、図示例の洗浄消毒装置１０においては、蓋体２０の開閉は、各種の内視鏡洗浄消毒装置と同様に、洗浄消毒装置１０の前面側に設けられたフットペダル３０によって行なう。フットペダル３０による蓋体２０の開閉は、各種の内視鏡洗浄消毒装置で行なわれている公知の手段を利用すればよい。
【００４１】
前述のように、蓋体２０は、透明な材料で構成される。
洗浄槽１４の下部には、照明手段２００が設けられ、照明手段２００の照明の色は、洗浄の各工程に応じて変化する。ここで、蓋体２０が透明な材料で構成されていることで、照明手段２００からの照明光は、蓋体２０を透過することができる。このようにすることで、洗浄消毒装置１０の上部全体が照明手段２００の照明光によって明るくなるので、オペレータが洗浄消毒装置１０から離れた場所にいても、洗浄の進捗状況を洗浄消毒装置１０の設置された場所まで来ることなく、確認することができる。
【００４２】
また、後述するように、洗浄槽１４内の処理液に内視鏡５０を浸漬させた状態で、内視鏡５０の内部を気体によって加圧し、挿入部の先端から気泡が発生するか否かによって漏水の検知を行なう漏水検知工程においては、洗浄槽１４内を洗浄槽１４の上側から目視によって覗き込み、気泡の有無を確認する。従って、蓋体２０を透明な材料で構成することにより、洗浄のための内視鏡５０をセットして、蓋体２０を閉塞したまま、漏水検知を行なうことが可能になる。また、蓋体２０を透明な材料で構成することで、洗浄中も、内視鏡５０の状態を確認することができる。
なお、蓋体２０を構成する透明材料としては、前述した洗浄槽１４と同様、蓋体２０として利用できる程度の剛性を有し、内視鏡５０の洗浄で用いられる各種の処理液に対して耐性を有するものであれば、公知の種々の透明部材が使用可能である。
【００４３】
ここで、本発明においては、蓋体２０は、単なる板状ではなく、洗浄槽１４の底面２２と対面する側（以下、蓋体２０の下面とする）に、閉塞した際に底面２２と同方向に傾斜する領域を有するのが好ましい。このようにすることで、洗浄槽１４内部上方の内視鏡５０が存在しない無駄な空間を、蓋体２０で埋めてしまうことができる。その結果、少ない処理液での内視鏡５０の洗浄が可能になり、不要な処理液を使用することが無い、ランニングコストおよび環境性能に優れた洗浄消毒装置１０を実現できる。
【００４４】
制御部６０は、前述の洗浄の各工程における照明手段２００の照明光の色の変更等、第１洗浄槽１４ａおよび第２洗浄槽１４ｂにおける洗浄消毒の工程を制御する。図３は、制御部の概略構成を概念的に示すブロック図である。
図３に示すように、制御部６０は、ＣＰＵ６２、ＲＡＭ６４、ＲＯＭ６６、Ｉ／Ｏ制御回路６８、通信Ｉ／Ｆ回路７０、パネルＩ／Ｆ回路７２、照明Ｉ／Ｆ回路７４、クロック７６、リセット回路７８、負荷部品駆動回路８０、センサＩ／Ｆ回路８２、および、Ａ／Ｄ変換回路８４を有する。
【００４５】
ＣＰＵ６２は、前述の洗浄の各工程毎における照明手段２００（照明手段２００ａおよび２００ｂ）の照明光の色の変更等、洗浄消毒装置１０における洗浄消毒処理を制御するためのもので、第１洗浄槽１４ａおよび第２洗浄槽１４ｂの２つの槽に対して１つのＣＰＵ６２で制御する。また、ＣＰＵ６２は、洗浄槽１４ａおよび１４ｂにおける洗浄を独立、かつ、非同期に制御し、さらに、照明手段２００ａおよび２００ｂの照明光の色の変更についても独立、かつ、非同期に制御する。
【００４６】
ＲＯＭ６６は、洗浄消毒処理制御プログラムを含む各種アプリケーションプログラムを記憶する。記憶された洗浄プログラムを含む各種アプリケーションプログラムは、ＣＰＵ６２によってＲＯＭ６６から読み出され、ＲＡＭ６４にセットされる。ＲＡＭ６４は、洗浄消毒装置１０における洗浄消毒の履歴データを記憶する。ＲＯＭ６６には、洗浄消毒装置１０が備える洗浄槽の数に対応する洗浄消毒処理制御プログラムのみを記憶させておき、ＣＰＵ６２が常にそのプログラムを読み出すようにしてもよい。あるいは、ＲＯＭ６６に、１槽から任意の複数槽の各構成に対応する複数の洗浄消毒処理制御プログラムを記憶させておき、ＣＰＵ６２が実際の構成に対応するプログラムを選択してＲＯＭ６６から読み出すようにしてもよい。
【００４７】
負荷部品駆動回路８０は、図４に示すポンプ類、電磁バルブ、ヒータ（Ｈ）の駆動回路である。
センサＩ／Ｆ回路８２は、タンクや洗浄槽の水位を検出するレベルセンサ（１０２Ｌ、１４２ａ、１４２ｂ）、洗浄槽１４ａ、１４ｂの蓋の開閉を検出するセンサ、その他の洗浄消毒装置１０に設けられるセンサのインターフェースである。
Ａ／Ｄ変換回路８４は、温度センサ（ＴＥ）や、圧力センサ（ＰＥ）のアナログの出力値をＡ／Ｄ変換する。
【００４８】
通信Ｉ／Ｆ回路７０は、洗浄消毒装置１０に備えられたＬＡＮ接続部８６、ＲＦＩＤ  Ｒ／Ｗ８８部、およびプリンタ９０との通信インターフェース回路である。
洗浄消毒装置１０は、ＬＡＮ接続部８６により、制御部６０を病院内のネットワーク等に接続して、洗浄消毒装置１０における洗浄消毒の履歴データを通信することができる。
ＲＦＩＤ  Ｒ／Ｗ部８８では、ＲＦＩＤ（Radio Frequency Identification System）を利用した洗浄消毒に関する情報の読み出し／書込みが行なわれる。
プリンタ９０からは、履歴管理データをプリントすることができる。このプリンタ９０は、洗浄消毒装置１０に搭載されたものでもよいし、外部のプリンタでもよい。
【００４９】
パネルＩ／Ｆ回路７２は、洗浄消毒装置１０の表示・操作パネルとのインターフェースである。表示・操作パネル９２は、洗浄消毒装置１０に関する情報を表示するためのものであり、また、オペレータからの指示を入力できるタッチパネルとしても機能する。
【００５０】
照明Ｉ／Ｆ回路７４は、洗浄消毒装置１０に設けられた照明手段２００および２０１とのインターフェースである。
【００５１】
図４に、図示例の（内視鏡）洗浄消毒装置１０の配管系統の概略を示す。
前述のように、洗浄消毒装置１０は、第１洗浄槽１４ａおよび第２洗浄槽１４ｂの２つの洗浄槽を有する。しかしながら、洗浄消毒装置１０は、内視鏡５０の洗浄を行なうための処理液を貯留するタンク、すなわち、洗浄液を貯留する洗浄液タンク１００、消毒液を貯留する消毒液タンク１０２、および、アルコールフラッシュ用のアルコールを貯留するアルコールタンク１０４は、共に１つしか有さず、すなわち、第１洗浄槽１４ａおよび第２洗浄槽１４ｂで共用する。
【００５２】
また、洗浄液タンク１００から洗浄槽１４に洗浄液を供給する洗浄液ポンプ１０６、消毒液タンク１０２から洗浄槽１４に消毒液を供給する消毒液ポンプ１０８、および、アルコールタンク１０４から洗浄槽１４にアルコールを供給するアルコールポンプ１１０も、共に１つしか有さない。
さらに、内視鏡５０の漏水検知を行なうための第１エアポンプ１１４、内視鏡５０の各チャンネル内から処理液を排出するための空気を供給するための第２エアポンプ１１６、および、排水ポンプ１１８も、共に１つしか有さない。なお、第１エアポンプ１１４および第２エアポンプ１１６の空気導入口には、エアフィルタ１２０が設けられる。
【００５３】
すなわち、洗浄消毒装置１０は、第１洗浄槽１４ａおよび第２洗浄槽１４ｂの２つの洗浄槽を有し、２台の内視鏡５０を独立、かつ、非同期に洗浄可能であるが、洗浄液等の処理液を貯留するタンクや、処理液を供給するポンプは、２つの洗浄槽１４で共用する。
また、洗浄消毒装置１０は、第１洗浄槽１４ａおよび第２洗浄槽１４ｂで各種のポンプやタンクは共用するが、第１洗浄槽１４ａおよび第２洗浄槽１４ｂでの洗浄を独立、かつ、非同期で行なうために、図４に示すように、両洗浄槽１４に対して、互いに独立した配管系を有している。
【００５４】
図示例において、消毒液タンク１０２には、タンク内の消毒液の量を測定するためのレベルセンサ１０２Ｌと、消毒液を消毒液タンク１０２に供給する、消毒液が充填された消毒液ボトルＢの取付部１０２Ａが設けられている。図示例においては、一例として、２つの取付部１０２Ａを有している。また、消毒液タンク１０２には、消毒液の匂いが外部に漏れるのを防止するための消臭フィルタ１０２Ｆが設けられる。なお、消毒液タンク１０２は、さらに、消毒液タンク１０２への埃や雑菌等の異物の混入を防止するためのエアフィルタを有してもよい。
洗浄消毒装置１０においては、次の消毒液の補充まで、消毒液ボトルＢを取り付けた状態にできる構成とし、この消毒液ボトルＢを取付部１０２Ａの蓋体、すなわち、消毒液タンク１０２の蓋体として作用させてもよい。
【００５５】
また、洗浄液タンク１００には、洗浄液が洗浄液タンク１００から排出されることを防止するため逆止弁１００Ｖが設けられ、さらに、アルコールタンク１０４にも、アルコールがアルコールタンク１０４から排出されることを防止するための逆止弁１０４Ｖが設けられている。
【００５６】
以下に、各洗浄槽１４に対する配管系統を説明する。
ここで、第１洗浄槽１４ａおよび第２洗浄槽１４ｂは、配管系統も、同じ構成を有する部分が多いので、以下の説明は、第１洗浄槽１４ａを代表として行い、第２洗浄槽１４ｂに関しては、必要に応じて説明する。
【００５７】
第１洗浄槽１４ａ（第２洗浄槽１４ｂ）内には、内視鏡５０の鉗子起上チャンネル（その口金（コネクタ部）  以下、同様）を接続するための鉗子起上ポート１２４ａ（１２４ｂ）、同鉗子を挿入するための鉗子チャンネルを接続するための鉗子ポート１２６ａ（１２６ｂ）、同送気送水チャンネルを接続するための送気送水ポート１２８ａ（１２８ｂ）、および、同吸引チャンネルを接続するための吸引ポート１３０ａ（１３０ｂ）が設けられる。
また、第１洗浄槽１４ａ内には、各処理液を導入するための導入口が設けられる。具体的には、洗浄液を導入するための洗浄液口１３２ａ（１３２ｂ）、消毒液を導入する消毒液口１３４ａ（１３４ｂ）、水道水を導入する給水口１３６ａ（１３６ｂ）が形成されている。第１洗浄槽１４ａ内には、さらに、漏水検知を行なうための空気を導入する空気口１３８ａ（１３８ｂ）、および、排水口１４４ａ（１４４ｂ）が設けられる。
さらに、第１洗浄槽１４ａには、槽内の処理液（洗浄液、消毒液、水道水等）を循環するための、循環ポンプ１８２ａ（１８２ｂ）が設けられる。
【００５８】
また、第１洗浄槽１４ａには、槽内の液量を検出するためのレベルセンサ１４２ａ（１４２ｂ）、槽内の液温を測定するための温度計ＴＥ、および、槽内の液体を加熱するためのヒータＨが設けられる。
レベルセンサ１４２ａは、一例として、４段階で液量を検出できるものである（あるいは、４つのレベルセンサが設けられている）。
【００５９】
鉗子起上ポート１２４ａはバルブ１５０ａ（１５０ｂ）を介して、鉗子ポート１２６ａはバルブ１５２ａ（１５２ｂ）を介して、送気送水ポート１２８ａはバルブ１５４ａ（１５４ｂ）を介して、さらに、吸引ポート１３０ａはバルブ１５６ａ（１５６ｂ）を介して、共に、バルブ１５８ａ、１６０ａ、および１６２ａ（１５８ｂ、１６０ｂ、および１６２ｂ）に接続される。
バルブ１５０ａ、バルブ１５２ａ、バルブ１５４ａ、およびバルブ１５６ａは、１本の配管に並列に接続され、また、バルブ１５８ａ、１６０ａ、および１６２ａも、同様に、１本の配管に並列に接続されている。
なお、洗浄消毒装置１０において、バルブには、特に限定はなく、電磁弁や電動弁等の公知の自動開閉可能なバルブを利用すればよい。但し、洗浄槽１４からの廃液の排出や、消毒液を消毒液タンクに戻すライン（配管）に設けるバルブは、バルブ内のデッドスペースが小さい等の点で、電動弁を利用するのが好ましい。
【００６０】
このバルブ１５８ａ（１５８ｂ）は、アルコールタンク１０４のアルコールポンプ１１０に接続される。
また、バルブ１６０ａ（１６０ｂ）は、前記内視鏡５０の各チャンネル内に空気を導入するための第２エアポンプ１１６に接続される。
さらに、バルブ１６２ａ（１６２ｂ）は、洗浄消毒装置１０の各部位に水道水を供給するための水供給ライン１６４に接続される。
【００６１】
水供給ライン１６４は、上水道の蛇口等に接続され、洗浄消毒装置１０に水道水を供給するためのものであり、図４に示すように、上流より、水道水を清浄化するためのフィルタ１６６、装置内の配管系に過剰な圧力が係る事を防止するための減圧弁１６８、第１バルブ１７０、および第２バルブ１７２を有して構成される。
前記バルブ１６２ａからの配管は、水供給ライン１６４の第１バルブ１７０と第２バルブ１７２との間に接続される（以下、このバルブ１６２ａから、第１バルブ１７０と第２バルブ１７２との間に至る配管を、便宜的に、水供給管１６３ａ（１６３ｂ）とする）。この水供給管１６３ａは、途中で分岐して、後述する第１洗浄槽１４ａ（第２洗浄槽１４ｂ）の循環ポンプ１８２ａ（１８２ｂ）および給水口１３６ａに設けられるバルブ１８０ａ（１８０ｂ）に接続される。
さらに、第２バルブ１７２は、消毒液タンク１０２、および、第１洗浄槽１４ａの排出口１４４ａに接続されるバルブ１９８ａ（１９８ｂ）に接続される。
【００６２】
一方、洗浄液口１３２ａは、バルブ１７６ａ（１７６ｂ）を介して、洗浄液ポンプ１０６に接続される。消毒液口１３４ａは、バルブ１７８ａ（１７８ｂ）を介して、消毒液ポンプ１０８に接続される。さらに、給水口１３６ａは、バルブ１８０ａ（１８０ｂ）を介して、前記水供給管１６３ａ（１６３ｂ）に接続される。言い換えれば、水供給管１６３ａから分岐する分岐管が、バルブ１８０ａすなわち給水口１３６ａに接続される。
第１洗浄槽１４ａ（第２洗浄槽１４ｂ）には、循環ポンプ１８２ａ（１８２ｂ）が接続される。この循環ポンプ１８２ａは、第１洗浄槽１４ａ内の液体を、前記水供給管１６３ａから分岐してバルブ１８０ａ（すなわち給水口１３６ａ）に至る分岐管に供給する。
【００６３】
漏水検知のための空気を導入する空気口１３８ａは、バルブ１８４ａ（１８４ｂ）を介して、第１エアポンプ１１４に接続される減圧弁１８６に接続される。
また、空気口１３８ａからバルブ１８４ａへの配管には、圧力計１８８ａ（１８８ｂ）が配置される。なお、圧力計１８８ａは、圧力が所定圧となった時点で第１エアポンプ１１４に信号を出力する圧力トランスミッタ等であるのが好ましい。
【００６４】
排出口１４４ａは、バルブ１９０ａ（１９０ｂ）を介して、排水ポンプ１１８に接続される。
なお、排水ポンプ１１８は、バルブ１９２を有する排水ライン１９４に、洗浄槽１４内の液体等を送る。また、水供給ライン１６４と排水ライン１９４とは、バイパスバルブ１９６を介して、水供給ライン１６４のフィルタ１６６の上流と、排水ライン１９４のバルブ１９２の上流とで、接続される。
また、排出口１４４ａとバルブ１９０ａとの間の配管は、途中で分岐して、バルブ１９８ａ（１９８ｂ）を介して、水供給ライン１６４の第２バルブ１７２および消毒液タンク１０２に接続される。
【００６５】
洗浄消毒装置１０においては、基本的に、洗浄工程→消毒工程→すすぎ工程の順で、内視鏡５０の洗浄を行なう。
以下、洗浄消毒装置１０による内視鏡５０の洗浄の作用の一例を説明する。以下の説明も、第１洗浄槽１４ａを代表に行なうが、第２洗浄槽１４ｂも、全く同様にして内視鏡５０の洗浄を行なうことができる。また、以下の説明では、特に記載しなくても、各工程の各処理の説明において、開放と記載したバルブ以外は、全てのバルブは閉塞しており、また、駆動と記載したポンプ以外は、全て停止している。
【００６６】
また、以下では、内視鏡５０の漏水検知を洗浄工程を行なうための水道水を洗浄槽１４に導入した時点で行なうこととして説明する。さらに、照明手段２００の照明の色は、洗浄工程においては赤色、漏水検知においては白色、消毒工程においては緑色、すすぎ工程においては青色、洗浄終了時には白色に変化するものとして説明するが、照明手段２００の照明光の色と洗浄の各工程の関係がこれに限定されないのはもちろんである。
【００６７】
まず、係合手段３４によって操作部５６が、係合手段３６によってコネクタ５８が、それぞれ位置決めされて、オペレータによって第１洗浄槽１４ａの所定位置に内視鏡５０がセットされ、また、鉗子起上ポート１２４ａに内視鏡５０の鉗子起上チャンネルが、鉗子ポート１２６ａに同鉗子チャンネルが、送気送水ポート１２８ａに同送気送水チャンネルが、吸引ポート１３０ａに同吸引管チャンネルが、それぞれ接続される。
なお、各ポートと内視鏡５０の各チャンネルとの接続は、コネクタや接続管等を用いた、内視鏡洗浄消毒装置で行なわれている公知の手段で行なえばよい。
また、空気口１３８ａ（１３８ｂ）と、内視鏡５０に設けられた漏水検知用の加圧口とを接続する。
【００６８】
内視鏡５０のセットが終了し、洗浄開始の指示が入力されたら、洗浄消毒装置１０は、まず最初に、洗浄液を用いて内視鏡５０を洗浄し、次いで、水道水を用いて内視鏡５０をすすいで洗浄液を除去する、洗浄工程を行なう。
洗浄工程の際には、照明手段２００の照明を、洗浄工程を表示する色、つまり、本実施形態では赤色の照明を点灯させる。これにより、洗浄消毒装置１０の上部全体は、赤色で明るく照らし出されることになり、洗浄消毒装置１０が視野に入る範囲内にいれば、洗浄消毒装置１０が設置されている場所まで来ることなしに、洗浄工程が行なわれていることを確認することができる。
【００６９】
まず、水供給ライン１６４の減圧弁１６８および第１バルブ１７０、ならびに、給水口１３６ａに接続するバルブ１８０ａを開放して、水供給ライン１６４から水供給管１６３ａを経て、給水口１３６ａから第１洗浄槽１４ａ内に、所定量の水道水を導入する（水道水導入）。
【００７０】
水道水の導入が終了したら、洗浄液の導入に先立ち、必要に応じて漏水検知を行なう。
漏水検知の際には、照明手段２００の照明光の色を洗浄工程を表示する色から漏水検知を表示する色へと切り換える。本実施形態では、漏水検知を表示する色としては、白色を用いているため、照明手段２００の照明光の色を洗浄工程を表示する赤色から漏水検知工程を表示する白色へと切り換える。これにより、洗浄消毒装置１０の上部全体は、白色で明るく照らし出されることになり、洗浄消毒装置１０が視野に入る範囲内にいれば、漏水検知が開始されたことを確認できる。すなわち、後述する内視鏡５０の内部から漏水箇所を通して外部に漏れ出す気泡の確認のために、洗浄消毒装置１０まで来る必要があることを容易に確認することができる。
【００７１】
漏水検知では、まず、第１エアポンプ１１４を駆動して、減圧弁１８６およびバルブ１８４ａを開放する。圧力計１８８ａによる測定値が所定圧となった時点で、第１エアポンプ１１４の駆動を停止する。なお、この停止は、圧力測定結果に応じた圧力計１８８ａから第１エアポンプ１１４への信号に応じて、自動的に行なうのが好ましい。
【００７２】
加圧が終了したら、目視によって、内視鏡５０から気泡が出ているか否かを確認する。ここで、本発明の洗浄消毒装置１０においては、洗浄槽１４ａの下部から照明手段２００によって、洗浄槽１４ａ内を明るく照らしているため、洗浄槽１４ａ内に気泡が存在しているかどうかを周囲の明るさの状況に左右されることなく、容易に確認することができる。
ここで、気泡が出ている場合には、内視鏡５０のいずれかのチャンネルが漏水している可能性があるので、この時点で、内視鏡５０の洗浄は中止する。また、気泡が確認できなければ、内視鏡５０に漏水箇所はなかったものとして漏水検知を終了する。
【００７３】
漏水検知が終了したら、次に、洗浄工程に戻り、洗浄液を洗浄槽１４ａに導入する。
洗浄工程に戻る際には、照明手段２００の照明光の色を漏水検知を表示する色から洗浄工程を表示する色へと切り換える。本実施形態では、照明手段２００の照明光の色を漏水検知を表示する白色から洗浄工程を表示する赤色へと切り換える。
これにより、洗浄消毒装置１０の上部全体は、赤色で明るく照らし出されることになり、洗浄消毒装置１０が視野に入る範囲内にいれば、洗浄消毒装置１０が設置されている場所まで来ることなしに、洗浄工程が行なわれていることを確認することができる。
【００７４】
洗浄液口１３２ａに接続するバルブ１７６ａを開放して、洗浄液ポンプ１０６を駆動して、洗浄液タンク１００から洗浄液口１３２ａに洗浄液を供給して、第１洗浄槽１４ａ内に、所定量の洗浄液を供給する（洗浄液導入）。
【００７５】
所定量の水道水および洗浄液を第１洗浄槽１４ａに導入したら、バルブ１６２ａを開放して、循環ポンプ１８２を駆動し、かつ、一例として、鉗子起上ポート１２４ａに接続するバルブ１５０ａ、鉗子ポート１２６ａに接続するバルブ１５２ａ、送気送水ポート１２８ａに接続するバルブ１５４ａ、および、吸引ポート１３０ａに接続するバルブ１５６ａを、１個ずつ、順次、所定時間だけ開放する。なお、バルブ開放時間は、各ポートで同じでも異なってもよい。
これにより、内視鏡５０の各チャンネル内を通して第１洗浄槽１４ａ内の洗浄液を循環して、洗浄水による内視鏡５０の各チャンネルの洗浄を、順次、行なう（チャンネル洗浄）。
【００７６】
チャンネル洗浄を終了したら、給水口１３６ａに対応するバルブ１８０ａを開放して循環ポンプ１８２ａを駆動する。
これにより、内視鏡５０の外部で、第１洗浄槽１４ａ内の洗浄液を循環して、洗浄水による内視鏡５０の外部の洗浄を行なう（外部流水洗浄）。
【００７７】
外部流水洗浄を、所定時間、行なったら、バルブ１９０ａおよびバルブ１９２を開放して、排水ポンプ１１８を駆動して、第１洗浄槽１４内の洗浄液を排水する（洗浄排水）。
第１洗浄槽１４内の洗浄液を全て排水したら、バルブ１９０ａおよびバルブ１９２は開放したままで、さらに、バルブ１６０ａを開放して、第２エアポンプ１１６を駆動し、かつ、鉗子起上ポート１２４ａに接続するバルブ１５０ａ、鉗子ポート１２６ａに接続するバルブ１５２ａ、送気送水ポート１２８ａに接続するバルブ１５４ａ、および、吸引ポート１３０ａに接続するバルブ１５６ａを、１個ずつ、順次、開放する。
これにより、鉗子起上ポート１２４ａ、鉗子ポート１２６ａ、送気送水ポート１２８ａ、および吸引ポート１３０ａから、内視鏡５０の各チャンネルに空気を送り込み、チャンネル内に残っている洗浄液を内視鏡から排出する（洗浄送気）。
【００７８】
次いで、水道水による内視鏡５０のすすぎを行なう。
水道水による内視鏡５０のすすぎは、基本的に、洗浄槽１４への洗浄液導入を行なわない以外は、洗浄液による内視鏡５０の洗浄と同様に行なう。
すなわち、まず、減圧弁１６８、第１バルブ１７０、および、バルブ１８０ａを開放して第１洗浄槽１４ａ内に所定量の水道水を導入する（水道水導入）。
第１洗浄槽１４ａに所定量の水道水を導入したら、バルブ１６２ａを開放し、循環ポンプ１８２ａを駆動して、かつ、バルブ１５０ａ、バルブ１５２ａ、バルブ１５４ａ、およびバルブ１５６ａを、１個ずつ、順次、開放して、チャンネル洗浄と同様にして、順次、内視鏡５０の各チャンネルを水道水ですすぐチャンネルすすぎを行い、その後、バルブ１８０ａを開放して循環ポンプ１８２を駆動して、外部流水洗浄と同様にして、内視鏡５０外部を水道水ですすぐ外部流水すすぎを行なう。
【００７９】
外部流水すすぎが終了したら、バルブ１９０ａおよびバルブ１９２を開放して、排水ポンプ１１８を駆動して、洗浄排水と同様にして排水を行い、次いで、バルブ１６０ａを開放して、第２エアポンプ１１６を駆動し、バルブ１５０ａ、バルブ１５２ａ、バルブ１５４ａ、およびバルブ１５６ａを、順次、１個ずつ開放して、洗浄送気と同様にして、送気を行ない、洗浄工程が終了する。
【００８０】
なお、本実施形態においては、洗浄液による内視鏡５０の洗浄と、水道水による内視鏡５０のすすぎとを１つの工程として洗浄工程としたが、洗浄液による内視鏡５０の洗浄と、水道水による内視鏡５０のすすぎとを別々の工程としてもよい。つまり、本実施形態においては、洗浄工程→消毒工程→すすぎ工程の順で内視鏡５０の洗浄を行なったが、洗浄工程→洗浄後のすすぎ工程→消毒工程→消毒後のすすぎ工程の順で内視鏡５０の洗浄を行なってもよい。
【００８１】
洗浄工程が終了したら、次いで、消毒工程を行なう。
消毒工程の際には、照明手段２００の照明光の色を洗浄工程を表示する色から消毒工程を表示する色へと切り換える。本実施形態では、照明手段２００の照明光の色を洗浄工程を表示する赤色から消毒工程を表示する緑色へと切り換える。これにより、洗浄消毒装置１０の上部全体は、緑色で明るく照らし出されることになり、洗浄消毒装置１０が視野に入る範囲内にいれば、洗浄消毒装置１０が設置されている場所まで来ることなしに、消毒工程が行なわれていることを確認することができる。
【００８２】
消毒工程においては、まず、消毒液口１３４ａに接続するバルブ１７８ａを開放して、消毒液ポンプ１０８を駆動し、所定量の消毒液を第１洗浄槽１４ａ内に導入する（消毒液導入）。
【００８３】
第１洗浄槽１４ａに所定量の消毒液を導入したら、前述のチャンネル洗浄と同様にして、内視鏡５０の各チャンネル内の消毒を行なう。
すなわち、バルブ１６２ａを開放して、循環ポンプ１８２ａを駆動すると共に、内視鏡５０の各チャンネルを接続するポートに接続されるバルブ１５０ａ、バルブ１５２ａ、バルブ１５４ａ、およびバルブ１５６ａを、１個ずつ、順次、所定時間だけ開放する。これにより、内視鏡５０内の各チャンネルを通して第１洗浄槽１４ａ内の消毒液を循環して、順次、消毒液による内視鏡５０の各チャンネルの消毒を行なう（チャンネル消毒）。
【００８４】
チャンネル消毒が終了したら、前述の外部流水洗浄と同様に、内視鏡５０外部の消毒を行なう。
すなわち、給水口１３６ａに対応するバルブ１８０ａを開放して循環ポンプ１８２ａを駆動して、内視鏡５０の外部で第１洗浄槽１４ａ内の消毒液を循環して、洗浄液による内視鏡５０の外部の消毒を行なう（外部流水消毒）。
【００８５】
外部流水消毒を、所定時間、行なったら、排出口１４４ａに接続するバルブ１９８ａを開放して、消毒液を消毒液タンク１０２に戻す（消毒液回収）。
図示例の洗浄消毒装置１０においては、消毒液の回収にはポンプ等は用いず、自重による落下で消毒液を消毒液タンク１０２に回収する。
【００８６】
第１洗浄槽１４内の消毒液を消毒液タンク１０２に回収したら、前記洗浄送気と同様に、内視鏡５０の各チャンネルに送気を行なう。
すなわち、バルブ１６０ａを開放して、第２エアポンプ１１６を駆動すると共に、バルブ１５０ａ、バルブ１５２ａ、バルブ１５４ａ、およびバルブ１５６ａを、１個ずつ、順次、開放する。これにより、鉗子起上ポート１２４ａ、鉗子ポート１２６ａ、送気送水ポート１２８ａ、および吸引ポート１３０ａから、内視鏡５０の各チャンネルに空気を送り込み、チャンネル内に残っている消毒液を内視鏡５０から排出する（消毒送気）。
【００８７】
以上で消毒工程を終了して、次いで、すすぎ工程を行なう。
すすぎ工程の際には、照明手段２００の照明光の色を消毒工程を表示する色からすすぎ工程を表示する色へと切り換える。本実施形態では、照明手段２００の照明光の色を消毒工程を表示する緑色からすすぎ工程を表示する青色へと切り換える。これにより、洗浄消毒装置１０の上部全体は、青色で明るく照らし出されることになり、洗浄消毒装置１０が視野に入る範囲内にいれば、洗浄消毒装置１０が設置されている場所まで来ることなしに、すすぎ工程が行なわれていることを確認することができる。
【００８８】
すすぎ工程も、基本的に、洗浄工程における水道水による内視鏡５０のすすぎと同様に行なう。
すなわち、まず、減圧弁１６８、バルブ１８０ａ、および第１バルブ１７０を開放して第１洗浄槽１４ａ内に所定量の水道水を導入する（水道水導入）。
水道水導入を終了したら、バルブ１６２ａを開放して、循環ポンプ１８２ａを駆動すると共に、バルブ１５０ａ、バルブ１５２ａ、バルブ１５４ａ、およびバルブ１５６ａを、１個ずつ、順次、所定時間だけ開放して水道水によって内視鏡５０の各チャンネルをすすぐチャンネルすすぎを行う。次いで、バルブ１８０ａを開放して循環ポンプ１８２を駆動して、内視鏡５０の外部を水道水ですすぐ外部流水すすぎを行なう。
【００８９】
外部流水すすぎが終了したら、バルブ１９０ａおよびバルブ１９２を開放して、排水ポンプ１１８を駆動して、すすぎ工程における排水を行う。その後、バルブ１６０ａを開放して、第２エアポンプ１１６を駆動すると共に、バルブ１５０ａ、バルブ１５２ａ、バルブ１５４ａ、およびバルブ１５６ａを、１個ずつ、順次、開放して、すすぎ工程における送気を行ない、すすぎ工程が終了する。
【００９０】
すすぎ工程が終了したら、洗浄消毒装置１０による内視鏡５０の洗浄を終了する。
洗浄が終了したら照明手段２００の照明光の色をすすぎ工程を表示する色から洗浄の終了を表示する色へと切り換える。本実施形態では、照明手段２００の照明光の色をすすぎ工程を表示する青色から洗浄の終了を表示する白色へと切り換える。これにより、洗浄消毒装置１０の上部全体は、白色で明るく照らし出されることになり、洗浄消毒装置１０が視野に入る範囲内にいれば、洗浄消毒装置１０が設置されている場所まで来ることなしに、洗浄が終了したことを確認することができる。
なお、さらに、例えばディスプレイ表示や警告音の発生等によって、オペレータに内視鏡５０の洗浄が終了した旨を報告してもよい。
【００９１】
ここで、本実施形態においては、照明手段２００による照明光の色は、洗浄工程、漏水検知、消毒工程、すすぎ工程、洗浄終了時のうち、漏水検知と洗浄終了時とが同じ色としている。
漏水検知においては、内視鏡５０から気泡が出ているか否かを確認するために、オペレータが洗浄消毒装置１０が設置されている場所まで行く必要がある。また、洗浄終了時においても、洗浄消毒装置１０から内視鏡５０を取り出すために、オペレータが洗浄消毒装置１０が設置されている場所まで行く必要がある。
このように、漏水検知および洗浄終了時においては共に、オペレータが洗浄消毒装置１０の場所まで行く必要があるため、照明手段２００による照明光の色を漏水検知および洗浄終了時において同じ色（本実施形態においては白色）とすることで、洗浄消毒装置１０の上部全体が白色で明るく照らし出されているときには、洗浄消毒装置１０が設置されている場所まで行く必要があるとオペレータが容易に判断することができる。
なお、本実施形態では、照明手段２００による照明光の色を漏水検知および洗浄終了時において同じものとしたが、漏水検知と洗浄終了時において異なる色としてもいいのはもちろんである。
【００９２】
なお、前述のように、洗浄消毒装置１０は、タンクやポンプなどの多くの物を第１洗浄槽１４ａと第２洗浄槽１４ｂとで共用しているが、両洗浄槽は、洗浄液等の供給系、水供給ライン１６４および排水ライン１９４以外は、共に、互いに独立した配管系を持っているので、両洗浄槽１４は、同時に同じ処理を行なうことも、同時に互いに異なる処理（両洗浄槽１４で非同期の処理）を行なうことも可能である。
また、このように複数の洗浄槽１４を有する洗浄消毒装置１０において、同時に互いに異なる処理、つまり、非同期の処理が行なわれている場合であっても、それぞれの洗浄槽１４に照明手段２００（照明手段２００ａおよび２００ｂ）が設けられ、照明手段２００を各洗浄槽毎に現在の洗浄の工程に応じた色の照明を点灯することによって、洗浄消毒装置１０が視界に入る範囲内にいれば、洗浄消毒装置１０の設置された場所まで来ることなしに、各洗浄槽１４ごとでの洗浄の進捗状況や洗浄の終了を把握することができる。このようにすることで、洗浄が終了した洗浄槽１４ごとに、すぐに洗浄が終了した内視鏡５０を取り出し、他の洗浄が必要な内視鏡５０を投入することができるため、内視鏡５０の洗浄を、より効率的に行なうことができる。
【００９３】
洗浄消毒装置１０において、内視鏡５０の洗浄は、基本的に、以上のように行なわれるが、洗浄消毒装置１０は、このような洗浄以外にも、各種の処理を行なうことが可能である。
ここで、洗浄以外の各種の処理においても、照明手段２００による照明光の色を他の工程と異なる色に変化させて、どの処理が行なわれているのかを確認できるようにしてもよい。
【００９４】
一例として、必要に応じて、洗浄後の内視鏡５０の各チャンネル内の乾燥を促進するためのアルコールフラッシュを行なうことができる。
アルコールフラッシュを行なう際には、照明手段２００による照明光の色を洗浄の各工程や漏水検知、洗浄の終了を表示するために使用した色以外の色へと切り換える。本実施形態においては、照明手段２００による照明光の色として、洗浄の各工程を表示するために赤色、緑色、青色を用い、さらに漏水検知および洗浄の終了を表示するために白色を用いたため、これ以外の色、例えば赤紫色の照明へと切り換える。これにより、洗浄消毒装置１０の上部全体は、赤紫色で明るく照らし出されることになり、洗浄消毒装置１０が視野に入る範囲内にいれば、洗浄消毒装置１０が設置されている場所まで来ることなしに、アルコールフラッシュの処理が行なわれていることを確認することができる。
【００９５】
このアルコールフラッシュを行なう際には、洗浄を終了した後、バルブ１５８ａを開放して、アルコールポンプ１１０を駆動すると共に、鉗子起上ポート１２４ａに接続するバルブ１５０ａ、鉗子ポート１２６ａに接続するバルブ１５２ａ、送気送水ポート１２８ａに接続するバルブ１５４ａ、および、吸引ポート１３０ａに接続するバルブ１５６ａを、１個ずつ、順次、所定時間開放する。
次いで、前記各工程における送気と同様にして、バルブ１６０ａを開放して、第２エアポンプ１１６を駆動すると共に、バルブ１５０ａ、バルブ１５２ａ、バルブ１５４ａ、およびバルブ１５６ａを、１個ずつ、順次、開放して、内視鏡５０の各チャンネル内に送気して、アルコールを排出し、かつ、送気による乾燥を行う。
また、排水口１４４ａ、バルブ１９０ａおよびバルブ１９２を開放し、排水ポンプ１１８を駆動して、第１洗浄槽１４ａ内に排出されたアルコールを排水する。
【００９６】
また、洗浄消毒装置１０は、水供給ライン１６４および排水ライン１９４等を消毒液で消毒する、自己消毒を行なうこともできる。
ここで、自己消毒を行なう際には、照明手段２００による照明光の色を前述した各工程や処理を表示するために使用した色以外の色に切り換える。本実施形態においては、照明手段２００による照明光の色として、洗浄の各工程を表示するために赤色、緑色、青色を用い、また、漏水検知および洗浄の終了を表示するために白色を用い、さらに、アルコールフラッシュの処理が行なわれていることを表示するために赤紫色を用いているため、これ以外の色、例えば、黄色の照明へと切り換える。これにより、洗浄消毒装置１０の上部全体は、黄色で明るく照らし出されることになり、洗浄消毒装置１０が視野に入る範囲内にいれば、洗浄消毒装置１０が設置されている場所まで来ることなしに、自己消毒の処理が行なわれていることを確認することができる。
【００９７】
この自己消毒工程においては、まず、消毒液口１３６ａに接続するバルブ１７８ａを開放して、消毒液ポンプ１０８を駆動して、第１洗浄槽１４ａ内に、所定量の消毒液を導入する。
次いで、排水口１４４ａに接続するバルブ１９０ａ、バイパスバルブ１９６、減圧弁１６８、第１バルブ１７０、給水口１３６ａに接続するバルブ１８０ａを開放して、排水ポンプ１１８を駆動して、水供給ライン１６４および排水ライン１９４を含む経路で、消毒液を循環する。
【００９８】
図示例の洗浄消毒装置１０においては、好ましい一例として、自己消毒を終了したら、装置内の消毒液を排出し、新規な消毒液を消毒液タンク１０２に充填する。
すなわち、前記水供給ライン１６４および排水ライン１９４を含む経路で、所定時間、消毒液を循環したら、バルブ１９０ａおよびバルブ１９２を開放して、排水ポンプ１１８を駆動して、消毒液を排出する。また、バルブ１７８ａを開放して、消毒液ポンプ１０８を駆動して、消毒液タンク１０２内に残っている消毒液を、全て、第１洗浄槽１４ａに投入して、排出する。
洗浄消毒装置１０内の消毒液を全て排出したら、減圧弁１６８、第１バルブ１７０、および、第２バルブ１７２を開放して、所定量の水道水を消毒液タンク１０２に投入する。次いで、オペレータによって、２つの取付部１０２Ａに消毒液ボトルＢが取り付けられる。消毒液は、例えば、自重によって消毒液タンク１０２に導入され、消毒液タンク１０２に、新規な消毒液が充填される。
【００９９】
ここで、照明手段２００は、図示例においては、洗浄槽１４の下部に設置し、底面２２から洗浄槽１４内を照明したが、洗浄槽１４内を照明することができ、かつ、照明手段２００の照明光が洗浄消毒装置１０の外部から視認することができれば、照明手段２００が設置される場所および数はこれに限定されるわけではない。
例えば、洗浄槽１４の１つ以上側面に照明手段２００を設置し、洗浄槽１４内を照明してもよい。また、内視鏡５０を洗浄槽１４にセットする際に邪魔にならないように防水状態の光源を洗浄槽１４内に設置してもよい。
あるいは、洗浄槽１４の底面２２と側面からの照射の組み合わせや、底面２２からの照射と洗浄槽１４内光源との組み合わせ等であってもよい。また、底面２２や側面、特に漏水検知での内視鏡５０の先端部からの気泡の視認性を考慮すると底面２２は、全面で洗浄槽１４内を照明するのが好ましいが、本発明はこれに限定はされず、半面や２／３等の部分的な照射でもよく、あるいは、底面２２半面と側面半面との組み合わせ等で洗浄槽１４内を照明してもよい。
ただし、前述した内視鏡５０の先端部からの気泡の発生によって漏水検知を行なう際に、気泡を確認するためには下側から気泡を照らし出すことが最も識別が行ない易いため、少なくとも洗浄槽１４の下部に設けられるのが好ましい。
【０１００】
本実施形態における洗浄消毒装置１０においては、洗浄の各工程のすべてで照明手段２００による照明光の色を他の工程とは異なる色に変化させ、洗浄消毒装置１０においてどの工程の作業が行なわれているかを洗浄消毒装置１０が視界に入る範囲内であれば、洗浄消毒装置１０が設置されている場所に来なくても、容易に確認できるようにしたが、本発明はこれに限定されず、洗浄の各工程のすべてで照明手段２００から照らす照明の色を変化させなくてもよい。
【０１０１】
例えば、内視鏡５０の洗浄の各工程のうち、終了の前の工程のみ、つまり、洗浄工程、消毒工程、すすぎ工程、洗浄終了時のうち、すすぎ工程のときのみ照明光の色を他の工程とは異なる色に変化させるようにしてもよい。例えば、洗浄工程、消毒工程および洗浄終了時では照明手段２００による照明光の色を赤色とし、すすぎ工程では、照明手段２００による照明光の色を緑色や青色とする。
オペレータは、内視鏡の洗浄消毒が、すすぎ工程に入ったことがわかれば、すすぎ工程が行なわれている間に、次に洗浄を行なう内視鏡５０を洗浄消毒装置１０に収納するための準備をすることができる。
つまり、どの工程で照明手段２００による照明光の色を変化させるかは、目的に応じて、適宜、決めることができる。
ただし、洗浄が終了したことがわかるようにするため、洗浄消毒装置１０による内視鏡５０の洗浄が終了した場合には、照明手段２００による照明光の色を洗浄中とは異なる色に変化させることが好ましい。
【０１０２】
さらに、本実施形態においては、照明手段２００による照明光の色を洗浄の各工程に応じて変化させることで、洗浄の進捗状況を確認できるようにしているが、照明の状態の変化のさせかたはこれに限定されるものではない。
【０１０３】
例えば、洗浄の各工程に応じて、照明手段２００を点滅させて、その照明の点灯の状態を変化させてもよい。
具体的には、洗浄工程においては照明手段２００の照明を消灯、漏水検知においては点灯、消毒工程においてはゆっくりとした点滅、すすぎ工程においては消毒工程よりもはやい点滅、洗浄の終了時にはもっともはやい点滅もしくは点灯とすることにより、オペレータが洗浄消毒装置１０が設置されている場所まで来ることなしに、洗浄の進捗状況を確認することができる。
【０１０４】
また、洗浄の各工程に応じて、照明手段２００による照明光の光量を変化させることで、照明の状態を変化させてもよい。
具体的には、洗浄工程においては照明手段２００による照明を消灯の状態、漏水検知においてはもっとも光量が高い状態、消毒工程においては漏水検知よりも光量が低い状態、すすぎ工程においては消毒工程よりもさらに光量が低い状態、洗浄の終了時にはもっとも光量が低い状態もしくはもっとも光量が高い状態とすることにより、オペレータが洗浄消毒装置１０が設置されている場所まで来ることなしに、洗浄の進捗状況を確認することができる。
【０１０５】
さらに、照明手段２００による照明光の色の変化、照明を点滅させたときの点灯状態の変化、照明光の光量の変化のそれぞれを組み合わせて併用してもよい。
具体的には、洗浄工程においては照明手段２００による照明光を極低輝度の白色とし、漏水検知においては照明光を最高輝度の白色とし、消毒工程においては照明光の色を緑色とし、すすぎ工程においては照明光の色を青色とし、洗浄終了時には照明光の色を白色かつ照明を点滅させることにより、オペレータが洗浄消毒装置１０が設置されている場所まで来ることなしに、洗浄の進捗状況を確認することができる。
つまり、洗浄の各工程の違いが認識できるのであれば、どのような変化のさせかたをしてもよい。
【０１０６】
本実施形態においては、蓋体２０を透明な材料で構成することによって、照明手段２００からの照明光が蓋体２０を透過し、洗浄消毒装置１０の上部を明るく照らすことによって、洗浄の進捗状況を洗浄消毒装置１０が視野に入る範囲内にあれば、洗浄消毒装置１０の設置されている場所に来ることなしに確認することができるようにしたが、この構成に限定されるわけではない。
例えば、蓋体２０ではなく、洗浄消毒装置１０の側面部２５（図１参照）の少なくとも洗浄槽１４に対応する領域を透明な部材で構成するようにしてもよい。この場合、照明手段２００からの照明光は、側面部２５を透過し、洗浄消毒装置１０の側面外部を明るく照らす。このようにしても、洗浄の進捗状況や洗浄の終了時間を洗浄消毒装置１０が視野に入る範囲内にあれば、洗浄消毒装置１０の設置されている場所に来ることなしに確認することができる。
また、洗浄消毒装置１０の前面の少なくとも洗浄槽１４に対応する領域を透明な材料で構成することによって照明手段２００からの照明光が洗浄消毒装置１０の外部から視認できるようにしてもよい。
さらに、蓋体２０、洗浄消毒装置１０の側面部２５、洗浄消毒装置１０の前面のいずれも、もしくは複数箇所を透明な材料で構成してもよい。
なお、側面部２５および洗浄消毒装置１０の前面を構成する透明な材料としては、前述した洗浄槽１４や蓋体２０と同様、剛性を有し、内視鏡５０の洗浄で用いられる各種の処理液に対して耐性を有するものであれば、公知の種々の透明部材が使用可能である。
【０１０７】
図示例の洗浄消毒装置１０は、２つの洗浄槽１４に対して、各１個の洗浄液タンク１００、消毒液タンク１０２、およびアルコールタンク１０４を有し、かつ、各１個の洗浄液ポンプ１０６、消毒液ポンプ１０８、および、アルコールポンプ１１０（すなわち、各タンクに１個のポンプ）を有するものであるが、本発明は、これに限定はされない。
【０１０８】
例えば、本発明の内視鏡洗浄消毒装置１０は、各２個の洗浄液タンク１００、消毒液タンク１０２、およびアルコールタンク１０４を有し、かつ、各２個の洗浄液ポンプ１０６、消毒液ポンプ１０８、および、アルコールポンプ１１０を有し、これらの供給系に関しては、第１洗浄槽１４ａと第２洗浄槽１４ｂとで、まったく独立した配管系を有するものでもよい。
いずれにしても、内視鏡５０の洗浄の各工程を好適に視認できるという効果が、より好適に発現できるという点で、本発明の洗浄消毒装置１０は、複数の洗浄槽１４を有し、各洗浄槽１４が独立で、かつ、非同期で洗浄が行なわれることが好ましい。
【０１０９】
また、漏水検知を行なうタイミングは、洗浄工程における水道水導入の後に限定はされないのはもちろんであり、適宜入力される実行の指示入力に応じたタイミング等、各種のタイミングで漏水検知を行なうようにしてもよい。
【０１１０】
また、本実施形態の内視鏡洗浄消毒装置１０は、図１に示すように、洗浄槽１４の底面２２が長手方向に傾斜する構成を有しているが、洗浄槽１４の底面の形状はこれに限定されない。
【０１１１】
例えば、図５は、本発明の内視鏡洗浄消毒装置の他の一例の概略図を示す。図５において、（Ａ）は斜視図、（Ｂ）は側面図である。
図５に示す内視鏡洗浄消毒装置１１は、洗浄槽の底面の形状および蓋体の形状が内視鏡洗浄消毒装置１０と異なる以外は、同様の形状および部材を有している。ここで、洗浄槽１５（第１洗浄槽１５ａ、第２洗浄槽１５ｂ）の底面２３は、底面２２のように長手方向に傾斜する構成を有さず、平坦な形状を有している。また、蓋体２１も、蓋体２０のように凸状（凸部を有する）のような形状を有さず、板状の形状を有している。このように、洗浄槽の底面の形状および蓋体の形状は、それぞれ、平坦な形状および板状の形状であってもよく、底面２２のような長手方向に傾斜する形状、蓋体２０のような凸部を有するような形状に限定はされない。
また、これらの形状以外にも、蓋体および底面が正方形や丸型の形状を有していてもよい。
【０１１２】
以上、本発明の内視鏡洗浄機について詳細に説明したが、本発明は、上記実施例に限定はされず、本発明の要旨を逸脱しない範囲において、各種の改良や変更を行なってもよいのは、もちろんである。
【図面の簡単な説明】
【０１１３】
【図１】本発明の内視鏡洗浄消毒装置の一例の概念図であって、（Ａ）は斜視図、（Ｂ）は側面図である。
【図２】図１に示す内視鏡洗浄消毒装置の上面を概念的に示す図である。
【図３】本発明の内視鏡洗浄消毒装置の制御部を示すブロック図である。
【図４】図１に示す内視鏡洗浄消毒装置の配管系統図である。
【図５】本発明の内視鏡洗浄消毒装置の他の一例の概念図であって、（Ａ）は斜視図、（Ｂ）は側面図である。
【符号の説明】
【０１１４】
１０、１１  内視鏡洗浄消毒装置
１４、１５  洗浄槽
１４ａ、１５ａ  第１洗浄槽
１４ｂ、１５ｂ  第２洗浄槽
２０、２１  蓋体
２２、２３  底面
２４  支点（回転軸）
２５  側面部
２６  操作パネル
２８  スタートボタン
３０  フットペダル
３４、３６  係合部材
５０  内視鏡
５２  挿入部
５４  ユニバーサルコード
５６  操作部
５８  コネクタ
６０  制御部
６２  ＣＰＵ
６４  ＲＡＭ
６６  ＲＯＭ
６８  Ｉ／Ｏ制御回路
７０  通信Ｉ／Ｆ回路
７２  パネルＩ／Ｆ回路
７４  照明Ｉ／Ｆ回路
７６  クロック
７８  リセット回路
８０  負荷部品駆動回路
８２  センサＩ／Ｆ回路
８４  Ａ／Ｄ変換回路
８６  ＬＡＮ
８８  ＲＦＩＤ  Ｒ／Ｗ
９０  プリンタ
９２  表示・操作パネル
１００  洗浄液タンク
１０２  消毒液タンク
１０４  アルコールタンク
１０６  洗浄液ポンプ
１０８  消毒液ポンプ
２００、２００ａ、２００ｂ、２０１、２０１ａ、２０１ｂ  照明手段
【図１】
2009077936.tif 000003
【図２】
2009077936.tif 000004
【図３】
2009077936.tif 000005
【図４】
2009077936.tif 000006
【図５】
2009077936.tif 000007